(57)【要約】【課題】小エリアの範囲でデータ信号を無線信号によって受信側の音響出力装置で受け取って音声を出力させる信号伝送システムにおいて、信号の送信時に不具合が生じ場合に早急に自動的に修復し得、又、使用する近傍での妨害電波でデータ信号の伝送に通信品質が劣化した際に早急に自動的に通信品質のよい通信チャネルに切換えてデータ信号の伝送を行ない得ることを目的とする。  【解決手段】 音声信号出力装置２、その音声信号出力装置２からの音声信号を受けて送信するため制御・送信装置９、制御・送信装置９の電波信号のデータ信号を受信する制御・受信装置１０に加えて、制御・送信装置９から制御信号が所定通りに制御・受信装置１０に到達するとその旨を応答し、到達しないと制御信号の再送を要求するための赤外線通信手段１４，１５を備えた。選択図：図１【特許請求の範囲】
【請求項１】
音声信号を出力する音声信号出力装置と、その音声信号出力装置から音声に係る信号を受けて送信するための制御機能を有し、その制御機能に係る制御信号及び音声に係る信号を送信する機能を奏する制御・送信装置と、その制御・送信装置から送信される音声に係る信号と制御信号を受信し、且つ、制御・送信装置の側から制御に基づいて前記音声に係る信号を出力させるための制御・受信装置が備えられ、
加えて、上記制御・送信装置及び上記制御・受信装置の間において赤外線によって、上記制御・送信装置からの制御信号及び音声に係る信号が上記制御・受信装置に確実に到達させるための赤外線通信手段が具備されてなる信号伝送システム。
【請求項２】
制御・送信装置からの制御信号及び音声に係る信号が制御・受信装置に所定通りに到達した際には、前記制御・受信装置から前記制御・送信装置に確認の応答信号が、制御・送信装置からの制御信号及び音声に係る信号が制御・受信装置に所定通りに到達しなかった際には、前記制御・受信装置から前記制御・送信装置に再度の送信を求める要求信号が、赤外線通信手段で送受される構成の請求項１に記載の信号伝送システム。
【発明の詳細な説明】
【技術分野】
【０００１】
この発明は、例えばサラウンド・オーディオ・システムにおいて視聴者の前方にＤＶＤプレーヤ装置、フロント用のスピーカ等の音響装置を配置し、そのＤＶＤプレーヤ装置からの音声・音楽信号を所定加工してフロントスピーカで出力させると共に、視聴者の背後に配置したリア用のスピーカも出力させるための信号を無線で送る場合のように、信号の送受の範囲が数メートル〜数十メートルといった小エリアにおいてデータ信号送信装置やデータ信号中継装置から配線を介在させずにデータ信号を送信し、そのデータ信号が受信の側に到達して、アンプ等の音響出力装置で音声や音楽を出力させる構成の信号伝送システムに関する。
【０００２】
尚、上記のデータ信号は音声や映像に係るデータ信号であって、データ量が多く且つ連続的に変化するが、映画等のデータ信号の伝送では音声や音楽のデータ信号と映像のデータ信号は互いに同調して出力される必要がある。
又、斯かる信号伝送システムがサラウンド・オーディオ・システムの場合では、配線作業の煩雑さや配線場所の占有等の問題を回避するために、再生装置からの音声に係るデータ信号を無線で送り所定の信号加工を行ってリアの側のスピーカで出力させるが、サラウンド効果を得るためには、最終的には再生装置から有線で接続されたフロントの側のスピーカからの音声出力とリアの側のスピーカからの音声出力がタイミング的に同調し、且つ、音量（出力レベル）も対応付いている必要がある。
【０００３】
上述のタイミングと音量の同調を得るために、信号伝送側であるデータ信号出力装置やデータ信号中継装置からのデータ信号は、データそのものの要素と制御を行うための要素が出力され、受信の側の音響出力装置はその受信信号に基づいてデータ信号の再生が処理されるように構成されている。
【背景技術】
【０００４】
【特許文献１】特表平１１−５０４１７１号公報
【発明の開示】
【発明が解決しようとする課題】
【０００５】
当該公報には、音声・音楽や映像に係るデータ信号をソース装置から受信し、その受信した信号をテレビジョンで出力させ、つまり、音声の出力と映像の表示を行わせるシステムの発明が開示されている。
【０００６】
上記公報で開示された発明は、データ信号伝送装置又はデータ信号中継装置に係るシステムとして捉えることができるが、現行のデータ信号伝送装置及びデータ信号中継装置の側に送信手段が、出力の側である音声を出力する音響出力装置や映像を映し出す映像出力装置に受信手段がそれぞれ備えられたのみの構成であって、前記音響出力装置や映像出力装置の側からデータ信号出力装置やデータ信号中継装置の側に、データ信号が所定通りに到達を知らせる応答信号やデータ信号の再送をリクエストする要求信号を送信するための手段は備えられていなかった。
又、データ信号出力装置やデータ信号中継装置の側にも、前記制御信号や応答信号を受信するための手段は備えられていなかった。
【０００７】
しかしながら、斯かる構成のデータ信号伝送システムは、機能している最中に、つまり、例えば音声信号を伝送しその伝送の音声信号による音声・音楽が出力されている際に、その近傍で電子レンジや無線ＬＡＮから同じ周波数の電波が発せられると、上記データ信号に含まれる制御信号部分に電波障害を与え、結果的に、互いに同調して出力される筈のデータ信号中の音声・音楽データ信号部分と映像データ信号部分が非同調の状態になってバラバラに出力されるという問題が生じることになる。
【０００８】
そこで、近傍に置かれた他の電気機器からの妨害電波によって信号伝送システムにおいてデータ信号に非同調な状態が生じる場合に対し、その非同調の状態を解消するために、受信側に位置する音響出力装置や映像出力装置に非同調の状態である旨の制御信号や応答信号をデータ信号出力装置やデータ信号中継装置の側に送るための送信手段を備え、送信側であるデータ信号出力装置やデータ信号中継装置に前記送信手段からの制御信号や応答信号を受け取るための受信手段を備えて構成される信号伝送システムが考えられる。
【０００９】
斯かる構成の信号伝送システムでは、妨害電波によって音響出力装置や映像出力装置に非同調等の不具合が生じると、音響出力装置や映像出力装置の側に備えられた送信手段の作動によってその不具合を修復させるための制御信号がデータ信号出力装置やデータ信号中継装置の側に送られる。
ここで、データ信号出力装置やデータ信号中継装置の側に備えられた受信手段は、前記の不具合が生じた旨を伝える連絡の信号を受信し、同調状態が回復させるための制御信号をデータ信号出力装置やデータ信号中継装置に出力する。
よって、音響出力装置や映像出力装置で生じた非同調等の不具合は、解決されることになる。
【００１０】
しかしながら、上述した構成の信号伝送システムは、システムそのものが大掛かりになり、又、不具合を検知して制御をリクエストするための制御信号（要求信号）や応答信号も他の電気機器等からの妨害電波によってデータ信号出力装置やデータ信号中継装置の側に正確に伝わらない場合が生じるという問題がある。
ここで、データ信号出力装置やデータ信号中継装置から音響出力装置や映像出力装置へのデータ信号の送信ではデータ量が多く且つ追従性を確保する必要があることから、連続性の高い伝送が要求される。
他方、音響出力装置や映像出力装置の側からデータ信号出力装置やデータ信号中継装置の側への制御信号や応答信号は、データ量が少なく且つ高い追従性を必要としないから、比較的に低速の伝送であっても問題はない。  
【００１１】
データ信号出力装置やデータ信号中継装置の送信装置が音響出力装置や映像出力装置に対してデータ信号の伝送を行う内容として、音声・音楽データ信号部分及び映像データ信号部分と、音響出力装置や映像出力装置を制御するための制御信号部分が含まれている。
つまり、データ信号出力装置やデータ信号中継装置の側から音響出力装置や映像出力装置の側に、一方的に、連続伝送が要求されるデータ信号部分と伝送に高い連続性が要求されることのない制御信号部分を混在させて伝送していることになる。
【００１２】
ここで、データ信号を伝送している際にデータ信号部分に欠落が起こると、例えばそのデータ信号が音声データを意味する信号であれば、その音声データ信号部分の欠落によって異常な音声の発生を回避させるべく音響出力装置において音声のミューティング機能が自動的に作動し、結果的に異常な音声の発生は生じることがない。
【００１３】
そして、斯かる場合においてミューティング機能が作動するために、異常が発生しているにも拘わらず、システム全体として恰も異常状態が生じていないと受け取られ続けてその間正常な状態に復帰させるための制御信号が制御対象に送られない状態が続き、異常音声の発生に対する問題に制御が行われない状態が継続されて、結果的に、誤動作の状態が続いて元の正常な状態に戻らないままであることになる。
【００１４】
又、データ信号の伝送を行う信号伝送システムにおいて或る周波数帯域で複数の通信チャネルが使用可能な構成のものも考えられるが、斯かる構成の信号伝送システムにはデータ信号を伝送する側つまり送信側の装置に受信手段が備えられておらず、又、伝送の側からのデータ信号を受ける側つまり受信側の装置に送信手段が備えられていない。
【００１５】
従って、その使用中の通信チャネルに妨害電波があると、受信側の装置においては妨害電波のある旨を判ることになるが、その旨を受信側の装置から送信側の装置に伝えるための手段がないので、結果的に、受信側の装置から妨害電波から影響のない通信チャネルに変更を要求することを伝えることができず、他方、送信側の装置は妨害電波によってデータ信号に問題が生じていることを知ることができない。
【００１６】
よって、或る周波数帯域で複数の通信チャネルが使用可能な信号伝送システムであっても、妨害電波がある場合にその妨害電波を回避するように複数の通信チャネルの中から通信品質のよいチャネルを適宜優先的に選択して使用するようには機能しないという問題があった。
【００１７】
この発明は上記の事情に鑑みてなされたものであって、信号送受の範囲が数メートル〜数十メートルの小エリアの範囲でデータ信号出力装置やデータ信号中継装置等の送信側から音声に係るデータ信号を無線信号によって受信側の音響出力装置や映像出力機能を含む出力装置で受け取って音声や映像を出力させる信号伝送システムにおいて、使用の際に信号の送信時に不具合が生じて結果的に受信側で所定通りに音声や映像を出力できなくなった場合にその不具合を早急に自動的に修復し得、又、信号伝送システムの使用する電波が或る周波数帯域で複数の通信チャネルが使用可能な構成である場合に当該信号伝送システムの近傍で妨害電波が発生してデータ信号の伝送に通信品質が劣化した際に早急に自動的に通信品質のよい通信チャネルに切換えてデータ信号の伝送を行ない得ることを目的とする。
【課題を解決するための手段】
【００１８】
この発明は、データ信号を送信する制御・送信装置と、その制御・送信装置からのデータ信号を受信する制御・受信装置の間で、前記制御・送信装置がデータ信号を前記制御・受信装置に送信した場合に、そのデータ信号が所定通りに到達されるように赤外線を用いて制御を行う構成の信号伝送システムである。
【００１９】
その詳細な構成は、音声信号を出力する音声信号出力装置と、その音声信号出力装置から音声に係る信号を受けて送信するための制御機能を有し、その制御機能に係る制御信号及び音声に係る信号を送信する機能を奏する制御・送信装置と、その制御・送信装置から送信される音声に係る信号と制御信号を受信し、且つ、制御・送信装置の側から制御に基づいて前記音声に係る信号を出力させるための制御・受信装置が備えられ、
加えて、上記制御・送信装置及び上記制御・受信装置の間において赤外線によって、上記制御・送信装置からの制御信号及び音声に係る信号が上記制御・受信装置に確実に到達させるための赤外線通信手段が具備されてなる信号伝送システムである。
【００２０】
斯かる構成の信号伝送システムは、制御・送信装置から制御・受信装置にデータ信号が送られると、それら制御・送信装置と制御・受信装置の間で赤外線を用いてデータ信号が確実に到達されるように確認・制御が行われる。
【発明の効果】
【００２１】
この発明は、赤外線を用いて制御・送信装置の側と制御・受信装置の側の間で、データ信号の受信について確認・再送制御（再送要求）が可能な構成としたことにより、制御・送信装置から制御・受信装置にデータ信号が送られると、制御・受信装置でデータ信号の受信された旨の応答信号又は再送信の要求信号が出力され、制御・送信装置の側のデータ信号の出力と制御・受信装置の側のデータ信号の出力が対応付いて行われる信号伝送システムである。
【発明を実施するための最良の形態】
【００２２】
この発明を、図１及び図２に示す実施の形態例に基づき詳述する。しかし、この実施の形態例によって、この発明が限定されるものではない。
【００２３】
信号伝送システム１は、図１に示すように、視聴者の前方においてつまりフロントの側の機器として、ＤＶＤプレーヤ装置２と、表示装置３と、増幅装置４と、センタースピーカ５と、フロント右スピーカ６と、フロント左スピーカ７と、サブウーファ８と、制御・送信装置９が備えられ、視聴者の後方においてつまりリアの側の機器として、制御・受信装置１０と、増幅装置１１と、リア右スピーカ１２と、リア左スピーカ１３が備えられている。
【００２４】
更に、制御・送信装置９には赤外線通信手段１４が、制御・受信装置１０には赤外線通信手段１５が、それぞれ付加されている。
【００２５】
ＤＶＤプレーヤ装置２は、ＤＶＤ記録媒体を再生して、音声信号と映像信号を対応付けて出力するものである。
表示装置３は、ＤＶＤプレーヤ装置２で再生されて出力される映像信号を受け取り、その映像信号に基づいた映像を表示するものである。表示装置３は具体的に液晶表示装置が挙げられ、他に、プラズマディスプレー装置、ＣＲＴ等が挙げられる。
【００２６】
増幅装置４は、ＤＶＤプレーヤ装置２で再生され出力された音声信号を受け取り、視聴者（使用者）のリクエスト内容に対応する所定の加工を行い、センタースピーカ５、フロント右スピーカ６、フロント左スピーカ７及びサブウーファ８に音声出力信号を送るものである。
センタースピーカ５、フロント右スピーカ６、フロント左スピーカ７及びサブウーファ８はそれぞれ増幅装置４からの音声出力装置に基づき音声出力を行うものである。
【００２７】
制御・送信装置９は、ＤＶＤプレーヤ装置２で再生され出力された音声信号を入力し、送信用の通信信号となるよう所定の加工を行って、制御・受信装置１１に送信を行うものである。
【００２８】
制御・受信装置１０は、制御・送信装置９から送られて来る通信信号を受信すると、その受信した通信信号を音声信号成分と制御信号成分に分離し、その音声信号成分をデジタルの音声信号（又は、アナログの音声信号）に変換して増幅装置１１に出力するものである。
他方、分離された制御信号成分は、制御・受信装置１０に内蔵された制御手段（図示省略）に到って、制御・受信装置１０そのもの及びその周辺機器（図示省略）に対して所定の制御を行うように、制御・受信装置１０及び前記その周辺機器に送られる構成になっている。
【００２９】
増幅装置１１は、制御・受信装置１０からの上記デジタルの音声信号を受け取り、その音声信号をスピーカが出力するような信号に変換し、前記制御信号に基づいた所定の音量レベルになるまで増幅して、リア右スピーカ１２及びリア左スピーカ１３に音声出力信号を送るものである。
リア右スピーカ１２及びリア左スピーカ１３は、増幅装置１１からの音声出力信号に基づいて音声出力を行うものである。  
【００３０】
赤外線通信手段１４，１５は共に赤外線を通信媒介とする送信手段及び受信手段（図示省略）が具備されている。
赤外線通信手段１４，１５は、制御・送信装置９から制御・受信装置１０への電波によるデータ信号の送信に対して、制御・送信装置９の側から制御・受信装置１０の側へ及び制御・受信装置１０から制御・送信装置９の側への連絡を行うための信号を送受するものである。
【００３１】
ここで、その連絡に係る信号の内容とは具体的に、制御・送信装置９の側から制御・受信装置１０の側への連絡は、制御・送信装置９から制御・受信装置１０への電波によるデータ信号の送信の連絡及び再送信の連絡である。
他方、制御・受信装置１０から制御・送信装置９への連絡は、制御・送信装置９から電波によるデータ信号を制御・受信装置１０に送った際に、制御・受信装置１０において電波によるデータ信号のその内容とこの送信に係る赤外線による連絡信号の内容を比較し、所定通りに到達した場合には制御・受信装置１０から制御・送信装置９へ到達した旨を知らせる応答信号、所定通りには到達しなかった場合には制御・受信装置１０から制御・送信装置９へデータ信号の再送をリクエストする要求信号を意味する。
【００３２】
信号伝送システム１は、上述したように構成されている。以下において、信号伝送システム１の音量を中心とした制御についての機能を説明する。
視聴者である信号伝送システム１の使用者は、全ての電源メインスイッチをＯＮにしてから（ステップＳ１、以下、『ステップ』を省略）、所望のＤＶＤ記録媒体（図示省略）をＤＶＤプレーヤ装置２にセットし、増幅装置４の出力の設定を行い、信号伝送システム１を作動させる。
尚、この時、当然ながら、制御・受信装置１０及び増幅装置１１は作動可能な状態になっている。
【００３３】
ここで、まず初めに、制御・送信装置９は、ＤＶＤプレーヤ装置２を介してフロントの側の出力について、増幅装置４の出力音量レベルの検知・確認を行う（Ｓ２）。
制御・送信装置９は続いて、増幅装置４の出力音量レベルの検知の結果に基づいて増幅装置１１の音量レベルを設定するための制御信号を生成し、制御・送信装置９に付設された赤外線通信手段１４から増幅装置１１の出力音量レベル設定のための赤外線の制御信号を制御・受信装置１０に付設された赤外線通信手段１５に送る（Ｓ３）。
【００３４】
尚、制御・送信装置９は、増幅装置４の出力音量レベルの検知・確認及び増幅装置１１の出力音量レベルの検知・確認を同時に行うように構成されていてもよい。
同じく制御・送信装置９は、増幅装置１１の出力音量レベルの検知・確認を先に行い、その後に増幅装置４の出力音量レベルの検知・確認を行うように構成されていてもよい。
【００３５】
制御・受信装置１０の側つまりリアの側では、信号伝送システム１のスタートと共に赤外線通信手段１５が増幅装置１１の音量レベル１１を設定するための制御・送信装置９の側からの制御信号を待ち受ける状態になっている（Ｓ４）。
ここで、制御・受信装置１０が、赤外線通信手段１４及び赤外線通信手段１５を介して制御・送信装置９からの増幅装置１１の出力音量レベルを設定するための制御信号を受け取ると（Ｓ５）、その制御信号をそのまま増幅装置１１から音量出力レベル設定の応答信号として、赤外線通信手段１５及び赤外線通信手段１４を介して制御・送信手段９に送る（Ｓ６）。
【００３６】
制御・送信装置９は、増幅装置１１からの音量出力レベル設定の応答信号（連絡信号）を受け取り（Ｓ７）、制御・送信装置９そのものが送った増幅装置１１の音量レベルを設定するための制御信号と照合して、一致しているか否かの判別を行う（Ｓ８）。
斯かる判別において、一致している場合には、ＤＶＤプレーヤ装置２による上記ＤＶＤ記録媒体の再生の方向に進む。
他方、斯かる判別において、一致していない場合には、再び増幅装置１１の音量出力レベル設定のための制御信号の送信からの動作を繰り返す（Ｓ３〜Ｓ８）。
【００３７】
又、リアの側において、所定の期間中に制御信号の再受信がない場合には、受信した増幅装置１１の音量出力レベルを設定するための制御信号から音量レベルの設定値が取り出され、増幅装置１１に送られて、増幅装置１１の音量出力レベルの設定が自動的に行われることになる（Ｓ９）。
【００３８】
ここで、フロントの側の増幅装置４及びリアの側の増幅装置１１の音量出力レベルに問題のないことが確認されると、ＤＶＤプレーヤ装置２は視聴者の再生開始の操作によって前記ＤＶＤ記録媒体の再生を開始する（Ｓ１０）。
つまり、ＤＶＤ記録媒体の音声データについて言うと、再生によって得られた音声データに係る信号はＤＶＤプレーヤ装置２から増幅装置４に送られる。
【００３９】
増幅装置４は、前記音声データに係る信号を受け取ると、所定の音声信号の加工を施してから（Ｓ１１）、センタースピーカ５、フロント右スピーカ６、フロント左スピーカ７及びサブウーファ８に送る（１２）。
ここで、センタースピーカ５、フロント右スピーカ６、フロント左スピーカ７及びサブウーファ８はそれぞれ、増幅装置４から所望の音声出力レベルに加工された音声信号を受け取って、音声を出力する。
【００４０】
ＤＶＤプレーヤ装置２は同様に、再生音声データの信号を制御・送信装置９に対しても送る。
ここで、制御・送信装置９は、その再生音声データの信号に所定の変換を施してから、リアの側に位置する制御受信装置１０に電波で送信する（Ｓ１３）。
制御・受信装置１０は、制御・送信装置９から前記再生音声データに係る電波信号を受信すると（Ｓ１４）、所定の変換によってその電波信号を音声データに復元して増幅装置１１に送る。
【００４１】
増幅装置１１は、制御・受信装置１０から前記音声データを受け取ると、所定の音声信号の加工を施してから（Ｓ１５）、その加工した信号をリア右スピーカ１２及びリア左スピーカ１３に送る（Ｓ１６）。
ここで、リア右スピーカ１２及びリア左スピーカ１３はそれぞれ、増幅装置１１から所望の音声出力レベルに加工された音声信号を受け取って、音声を出力する。
【００４２】
ここで、フロントの側においてセンタースピーカ５、フロント右スピーカ６、フロント左スピーカ７及びサブウーファ８の音声の出力、リアの側においてリア右スピーカ１２及びリア左スピーカ１３の音声の出力がそれぞれ行われるが、フロントの側のスピーカとリアの側のスピーカは恰も有線で接続されているかのように同調した状態になっていて何ら問題なく出力が行われるから、フロントの側とリアの側の間に位置している視聴者はサラウンドの音声を享受することができる。
【００４３】
又、この時、表示装置３も、ＤＶＤプレーヤ装置２からの前記音声に対応した映像信号に基づき、映像機能を奏している。
従って、視聴者はフロントの側のセンタースピーカ５、フロント右スピーカ６、フロント左スピーカ７及びサブウーファ８からの音声の出力、リアの側のリア右スピーカ１２及びリア左スピーカ１３からの音声の出力と共に、それらの音声と対応している映像を視覚的に捉えることが可能になっている。
【００４４】
ＤＶＤプレーヤ装置２が上記ＤＶＤ記録媒体の再生をし終える、或いは、視聴者が所望によりリモコン制御手段（図示省略）を使って上記ＤＶＤ記録媒体の再生を中断すると（Ｓ１７）、ＤＶＤプレーヤ装置２の再生出力が停止されて音声及び映像に係る再生信号の送信が停止になる（Ｓ１８）。
ここで、表示装置３への映像信号の供給、及び、増幅装置４と増幅装置１１への音声信号の供給が停止されるので、これらの停止に対応して、映像装置３の映像表示の出力、及び、増幅装置４と増幅装置１１の音声信号の出力は停止の状態になる（Ｓ１９）。
【００４５】
他方、ＤＶＤプレーヤ装置２が上記ＤＶＤ記録媒体の再生が停止されない場合においては、制御・送信装置９が増幅装置４の出力レベルに変更があるか否かの確認を行っている（Ｓ２０）。
又、リアの側では制御・受信装置１０において、制御・送信装置９からの増幅装置１１の音声出力レベル変更の制御信号が受信されるかどうかの確認が行われ（Ｓ２１）、音声出力レベル変更の制御信号の有無が判断されている（Ｓ２２）。
【００４６】
そして、音声出力レベル変更の制御信号がない場合には、引き続き音声データ信号の受信に戻り（Ｓ１４）、他方、音声出力レベル変更の制御信号がある場合には、音声出力レベル変更の制御信号の受信動作に移る（Ｓ２４）。
ここで、視聴者が所望により増幅装置４の出力レベルを変更すると、制御・送信装置９は、リアの側で音声出力のレベルが対応して変更するように、制御・送信装置９から送信されているデータ信号に増幅装置１１の出力レベルを変更させるための制御信号を付加し、リアの側である制御・受信装置１０に電波で送信する。その送信と共に、赤外線通信手段１４及び赤外線通信手段１５を介して、制御・受信装置１０に増幅装置１１の出力レベルを変更させるための制御信号を出力する（Ｓ２３）。
【００４７】
制御・受信装置１０は、電波及び赤外線によって伝えられた上記二つの出力レベル変更のための制御信号を受け取ると（Ｓ２４）、その二つの制御信号が一致するか否かの判定を行い（Ｓ２５）、一致した場合には、制御・送信装置９からの制御信号が一致した由の応答信号を赤外線を用いて送り返し（Ｓ２６）、且つ、その制御信号に基づいて増幅装置１１に出力レベル制御の制御信号を送る。
【００４８】
他方、一致しなかった場合には、制御信号の再送を要求する再送要求信号を赤外線を用いて送り返す（Ｓ２７）。
但し、制御・受信装置１０から制御・送信装置９への応答信号は、制御・受信装置１０から増幅装置１１に出力レベル制御の制御信号を送り、その制御信号が増幅手段１１に到って応答信号が制御・受信装置１０に戻って来たことに基づいて出力される構成であってもよい。
【００４９】
ここで、制御・送信装置９は、制御・受信装置１０からの赤外線を用いた再送要求信号又は応答信号を受け取ると（Ｓ２８）、それが再送要求信号であるか否かの判別を行う（Ｓ２９）。
この判別によって、受信した信号が再送要求信号の場合では、再び増幅装置１１のの出力レベル変更のための制御信号の送信から動作を繰る返す（Ｓ２３〜Ｓ２９）。
但し、この繰り返しの動作による制御信号の一致の判定（Ｓ２５）は、赤外線を用いて受け取った二度の制御信号を比較して判定することになる。
【００５０】
他方、受信した信号について制御信号が一致した由の応答信号である場合では、増幅装置４の音声出力レベルの変更制御が行われる（Ｓ３０）。
同様に、リアの側においても、制御信号が一致した由の応答信号を性凱旋を用いて制御・送信装置９に送った後、一致した制御信号から増幅装置１１の出力レベル変更の変更値が取り出され、増幅装置１１に送られて増幅装置１１の音量出力レベルの変更が自動的に行われることになる（Ｓ３１）。
【００５１】
制御・送信装置９が制御・受信装置１０からの赤外線を用いた応答信号を受け取らない場合には、制御・送信装置９は再び赤外線を用いた制御信号を制御・受信装置１０に送る。
この制御・送信装置９からの赤外線を用いた制御・受信装置１０への制御信号の出力の繰り返しによって、結果的に当該制御信号は制御・受信装置１０に到り、制御・受信装置１０から制御・送信装置９へ赤外線を用いた応答信号が送られ、且つ、増幅装置１１で出力レベルの制御が行われる。
【００５２】
更に、視聴者が増幅装置４の出力レベルを変更を行うと、制御・送信装置９から電波を用いた制御信号が制御・受信装置１０に送られる。
ここで、リアの側において、前述したように、制御・受信装置１０は電波を用いた制御・送信装置９から到達された制御信号に基づき、増幅装置１１に対応する制御を行い、結果的に、リア右スピーカ１２及びリア左スピーカ１３が制御内容に対応した音声を出力する。
【００５３】
信号伝送システム１は上述したように機能するから、例えば増幅装置４の出力レベル変更に係る制御信号を制御・送信装置９から電波を用いて制御・受信装置１０に送るといった場合のように、制御・送信装置９から電波信号の制御信号を制御・受信装置１０に送る際に、赤外線通信手段１４と赤外線通信手段１５によって所定通りに到達したか否かが確認され、応答信号又は再送の要求信号が制御・受信装置１０から制御・送信装置９に送られる。
【００５４】
しかも、応答信号又は再送の要求信号である連絡信号は赤外線を用いているから、他の電気機器や電子機器等からの妨害電波に影響を受けることがない。
従って、制御・送信装置９からの電波信号を用いた制御信号は制御・受信装置１０に所定通りに到達することになる。
【００５５】
又、信号伝送システム１が或る周波数帯域で複数の通信チャネルが使用可能な構成である場合において、当該使用通信チャネルの近傍で妨害電波が発生してデータ信号の伝送に通信品質が劣化した際に早急に自動的に通信品質のよい通信チャネルに切換えてデータ信号の伝送を行なう場合、上述したと同様に、通信チャネル切換えに赤外線通信手段１４と赤外線通信手段１５が応答信号又は再送要求信号の連絡信号の送受が行われ、制御・送信装置９からの新しく切換わったチャネルの電波信号が制御・受信装置１０に所定通りに到達することになる。
【図面の簡単な説明】
【００５６】
【図１】この発明の最良の実施の一形態例の構成を説明するブロック図である。
【図２】図１に示す実施の形態例の機能において、スタートからリア側の増幅装置の出力レベルの設定までを説明するフローチャート図である。
【図３】図１に示す実施の形態例の機能において、リア側の増幅装置の出力レベルの設定から出力レベルの変更までを説明するフローチャート図である。
【符号の説明】
【００５７】
１            ：信号伝送システム
９            ：制御・送信装置
１０          ：制御・受信装置
１４，１５    ：赤外線通信手段
【図１】
2006080928.tif 000002
【図２】
2006080928.tif 000003
【図３】
2006080928.tif 000004